(57)【要約】【課題】  本発明は、電源供給装置に対して確実に接続を認識させると共に、突入電流による誤作動を防止し得る接続対象を実現できる。【解決手段】  本発明の突入電流抑制回路１０は、突入電流を抑制するためにＰＣ２からの電流を制限する電流制限回路１３と、当該電流の供給が開始されてから所定の遅延時間を経過した時点で、当該電流制限回路１３による当該電流の制限を解除する時間調整回路１２と、当該電流制限回路１３及び当該時間調整回路１２の前段に設けられ、当該ＰＣ２にデバイス３が接続されたことを当該ＰＣ２に対して認識させるための認識電流を生成する認識電流生成回路１１とを設けることにより、ＰＣ２から供給される突入電流を抑制すると共に、ＰＣ２にデバイス３が接続されたことをＰＣ２に対して確実に認識させるようにした。【選択図】        図２
2007049786.tif 000002
【特許請求の範囲】
【請求項１】
電源供給装置から供給される突入電流を抑制する突入電流抑制回路であって、
突入電流を抑制するために上記電源供給装置からの上記電流を制限する電流制限手段と、
上記電流の供給が開始されてから所定の遅延時間を経過した時点で、上記電流制限手段による上記電流の制限を解除する制限解除手段と、
上記電流制限手段及び上記制限解除手段の前段に設けられ、上記電源供給装置にデバイスが接続されたことを上記電源供給装置に対して認識させるための認識電流を生成する認識電流生成手段と
を具えることを特徴とする突入電流抑制回路。
【請求項２】
上記制限解除手段は、
グランド線及び電流供給線に介設された時定数回路と、上記時定数回路間にゲート端子が接続された第１のトランジスタとによって構成され、
上記電流制限手段は、
上記第１のトランジスタのドレイン端子に対して第２のトランジスタのゲート端子が接続され、上記第２のトランジスタにおけるドレイン端子及びソース端子の間に抵抗が介設されることによって構成され、
上記認識電流生成手段は、
上記グランド線及び上記電流供給線間に介設されたコンデンサでなる
ことを特徴とする請求項１に記載の突入電流抑制回路。
【請求項３】
上記電流供給線は、ＵＳＢ規格に準拠したVBUSである
ことを特徴とする請求項１に記載の突入電流抑制回路。
【発明の詳細な説明】
【技術分野】
【０００１】
本発明は、突入電流抑制回路に関し、例えばＵＳＢ（Universal Serial Bus）方式のデバイスに適用して好適なものである。
【背景技術】
【０００２】
従来、ＵＳＢ方式のデバイスにおいては、パーソナルコンピュータ（以下、これをＰＣと呼ぶ）に接続されると共に、接続されたＰＣから電源の供給を受けることによって動作する。図５に示すように、このデバイスには、起動電力を充電するため、ＰＣに接続された直後に当該ＰＣから当該デバイスへ瞬間的に大きな電流、いわゆる突入電流ＵＣが流れることが知られている。
【０００３】
一方、電源を供給する側であるＰＣでは、かかる突入電流ＵＣを供給したことによって自己の電力バランスが崩れることによる誤作動を防止するために、保護回路を設けている場合が多い。このようなＰＣでは、ＰＣからデバイスへ大きな突入電流が流れた場合、保護回路を動作して当該デバイスへの電力供給を停止する。これによってデバイスに電力が供給されないため、当該デバイスは正常に動作できず、結果として誤作動を生じてしまう。そこで、デバイス内に３つのトランジスタを組み合わせ、電流の大きさに応じてスイッチングして定電流を流すことによって突入電流を抑制するようにした突入電流抑制回路を設けることによって、このような誤作動を防止するようになされた突入電流抑制回路がある。（例えば、特許文献１参照）。
【特許文献１】特開平８-１５４３３８号公報
【発明の開示】
【発明が解決しようとする課題】
【０００４】
ところで、ＰＣは接続ポートへ流れる電流値を計測しており、その電流値が所定の閾値以上になったことを検知したとき、デバイスが接続されたことを認識するようになされている。このためＰＣは、デバイスが当該ＰＣに接続されたとき、接続ポートへ流れる電流の最大値がデバイスを認識するための所定の閾値よりも小さい場合には、デバイスが接続されたにも拘らず当該デバイスが接続されたことを認識することができない。
【０００５】
一方で、上述した突入電流抑制回路を設けたデバイスでは、電流の供給が開始されると所定時間に渡って供給される電流を制限して定電流化するため、ほとんど突入電流のピークを生じず、電流の最大値が小さくなってしまう。このためこのデバイスでは、ＰＣに接続された場合であっても、デバイスを認識させるための所定の閾値以上の電流をＰＣに供給させることはできないため、デバイスが接続されたことを認識させることができず、定常電流をデバイスへ供給させることができないため、結果としてデバイスの誤作動を引き起こすという問題があった。
【０００６】
本発明は以上の点を考慮してなされたもので、デバイスの誤作動を防止し得る突入電流抑制回路を提案しようとするものである。
【課題を解決するための手段】
【０００７】
かかる課題を解決するため本発明の突入電流抑制回路においては、電源供給装置から供給される突入電流を抑制する突入電流抑制回路であって、突入電流を抑制するために電源供給装置からの電流を制限する電流制限手段と、電流の供給が開始されてから所定の遅延時間を経過した時点で、電流制限手段による電流の制限を解除する制限解除手段と、電流制限手段及び制限解除手段の前段に設けられ、電源供給装置にデバイスが接続されたことを電源供給装置に対して認識させるための認識電流を生成する認識電流生成手段とを設けるようにした。
【０００８】
これにより、デバイスの動作回路、電流制限手段及び電流制限解除手段の構成に拘らず、認識電流を生成して当該電源供給装置に対して当該デバイスが接続されたことを当該電源供給装置に確実に認識させ得るため、当該デバイスが接続されたことを認識されないために当該電力供給装置から電力が供給されないことを防止しつつ突入電流を抑制することができる。
【発明の効果】
【０００９】
本発明によれば、電源供給装置から供給される電流を制限し、所定の遅延時間を経過した時点で上記電流の制限を解除すると共に、上記電流制限手段及び上記電流制限解除手段の前段に設けた認識電流生成手段によって認識電流を生成することにより、デバイスの動作回路、電流制限手段及び電流制限解除手段の構成に拘らず、認識電流を生成して当該電源供給装置に対して当該デバイスが接続されたことを当該電源供給装置に確実に認識させ得るため、当該デバイスが接続されたことを認識されないために当該電力供給装置から電力が供給されないことを防止しつつ突入電流を抑制することができ、かくしてデバイスの誤作動を防止し得る突入電流抑制回路を実現できる。
【発明を実施するための最良の形態】
【００１０】
以下、図面について、本発明の一実施の形態を詳述する。
【００１１】
（１）電源供給システムの全体構成
図１において１は、全体として電源供給システムを示し、ＰＣ２とデバイス３とによって構成されている。
【００１２】
デバイス３及びＰＣ２は、ＰＣ２のＵＳＢ（Universal Serial Bus）ポート２ＡにＵＳＢコネクタ３Ａが挿入されることによって接続される。そしてＰＣ２は、デバイス３が接続されると、当該デバイス３に対して電力を供給し、一方でデバイス３は、当該ＰＣ２から供給された電力によって動作するようになされている。
【００１３】
ここでＰＣ２は、ＵＳＢポート２Ａへ流れる電流値を監視し、デバイス３を認識するための所定の閾値（以下、これを認識閾値と呼ぶ）以上の電流が流れたことを検知したときに、デバイス３が接続されたことを認識すると共に、認識したデバイス３に対して、起動後の通常動作をさせるために定常的な電流を供給するようになされている。
【００１４】
またＰＣ２は、図示しない保護回路を設け、ＰＣ２を保護するための所定の閾値（以下、これを保護閾値と呼ぶ）以上の電流がＵＳＢポート２Ａへ流れたことを検知したときに、当該保護回路を動作することによって当該デバイス３への電流供給を一時的に停止し、ＰＣ２自身に電力が不足したことによって引き起こされる誤作動を防止するようになされている。
【００１５】
一方、デバイス３には、突入電流抑制回路が設けられており、デバイス３がＰＣ２に接続されたタイミングで引き起こされる当該デバイス３の誤作動を防止するようになされている。
【００１６】
（２）突入電流抑制回路
次に、突入電流抑制回路について図２を用いて図３を併用しながら詳細に説明する。図２に示すように、突入電流抑制回路１０は、デバイス３のＵＳＢコネクタ３Ａと内部回路ＩＫとの間に配設され、当該ＵＳＢコネクタ３Ａを介してＰＣ２から供給された電流を内部回路ＩＫへ送出するようになされている。
【００１７】
突入電流抑制回路１０は、時間調整部１２及び電流制限部１３と、当該時間調整部１２及び当該電流制限部１３の前段に設けられた認識電流生成部１１とによって構成されている。そして突入電流抑制回路１０は、ＵＳＢコネクタ３ＡがＵＳＢポート３（図１）に挿入されることによってデバイス３がＰＣ２に接続されると、ＰＣ２から電流の供給を受けると共に、この電流を各部に入力するようになされている。
【００１８】
ここで図３は、時点Ｔ０においてデバイス３がＰＣ２に接続されてから、時点Ｔ３以降に定常電流ＤＣが流れるまでに、ＰＣ２からＵＳＢコネクタ１２Ａを介して突入電流抑制回路１０へ供給される電流値Ｉを示している。
【００１９】
認識電流生成部１１は、時点Ｔ０においてデバイス３がＰＣ２に接続された直後に、時点Ｔ０から時点Ｔ１にかけて瞬間的な大きい電流（以下、これを認識電流と呼ぶ）ＩＲ１を生成する。これにより認識電流生成部１１は、ＰＣ２がデバイス３を認識する電流値である認識閾値以上の電流をＰＣ２から瞬間的に供給させて当該ＰＣ２に対してデバイス３が接続されたことを確実に認識させることができ、ＰＣ２に認識されないために電流が供給されないことを防止するようになされている。また認識電流生成部１１は、デバイス３が認識された以降には、突発的や偶発的ではなく、認識されたデバイス３への定常的な電流として、ＰＣ２から安定した電流の供給をさせ得るようになされている。
【００２０】
この認識電流ＩＲ１は、ＰＣ２がデバイス３を認識する認識閾値より大きく、かつ保護回路を動作する保護閾値より小さくなるように設定されている。これにより突入電流抑制回路１０は、ＰＣ２の保護回路を動作させること無くＰＣ２から認識閾値を超える電流を供給させ得、デバイス３が接続されたことを確実にＰＣ２に認識させ得るようになされている。
【００２１】
一方、時間調整部１２は、時点Ｔ０から時点Ｔ２にかけて、デバイス３がＰＣ２に接続されてから所定の遅延時間ＬＴが経過するのを待ち受け、当該遅延時間ＬＴが経過した時点Ｔ２において、ＰＣ２から供給された電流を電流制限部１３へ送出するようになされている。
【００２２】
他方、電流制限部１３は、時点Ｔ０から時点Ｔ２にかけて、ＰＣ２から供給される電流を制限し（以下、これを制限電流と呼ぶ）、当該制限電流を内部回路ＩＫへ送出することによって、内部回路ＩＫの起動電力を徐々に充電するようになされている。
【００２３】
そして電流制限部１３は、時点Ｔ２において、遅延時間ＬＴが経過して時間調整部１２から電流が供給されると、この電流の供給をトリガーとして上述した内部回路ＩＫに供給する電流の制限を解除し、内部回路ＩＫが必要とする電力に応じてＰＣ２から電流の供給を受けると共に、当該内部回路ＩＫへ送出するようになされている。
【００２４】
ここで、時点Ｔ０から時点Ｔ２にかけて内部回路ＩＫに供給された制限電流によって当該内部回路ＩＫの起動電力が完全に充電されていない場合には、時点Ｔ２において当該内部回路ＩＫに一気に起動電力の残りの部分が充電されることによって、充電電流ＩＲ２が生成される。
【００２５】
この結果、突入電流抑制回路１０では、遅延時間ＬＴの終了後に速やかに内部回路ＩＫに起動電力を供給することができると共に、上述したように遅延時間ＬＴに渡って内部回路ＩＫに制限電流を供給するようにしたため、この充電電流ＩＲ２をＰＣ２の保護回路が動作する保護閾値よりも小さくし得、当該保護回路が動作してデバイス３への電流の供給を停止されることによるデバイス３の誤作動を防止し得るようになされている。
【００２６】
そして、電流制限部１３は、時点Ｔ３において起動電力の充電を完了すると、内部回路ＩＫが必要とする電力に応じてデバイス３が通常動作するための定常電流ＤＣをＰＣ２に供給させると共に、内部回路ＩＫへ送出する。
【００２７】
一方、時点Ｔ０から時点Ｔ２にかけて内部回路ＩＫに供給した制限電流によって内部回路ＩＫが必要とする起動電力が完全に充電されている場合には、上述したような充電電流ＩＲ２が生成されることはない。この場合であっても、突入電流抑制回路１０では、認識電流ＩＲ１によってデバイス３が接続されたことをＰＣ２に確実に認識させ得るため、ＰＣ２から当該デバイス３に電流を供給させ得、当該デバイス３の誤作動を防止し得るようになされている。
【００２８】
また、電流制限部１３は、遅延時間ＬＴが経過した時点Ｔ２以降は、内部回路ＩＫが必要とする電力に応じてＰＣ２から供給された電流を当該内部回路ＩＫへ送出するようにしたため、以降はタイムラグや電流の制限なく、当該内部回路ＩＫが必要とする電力を必要とするタイミングで当該内部回路ＩＫに送出し得、この結果、デバイス３に安定な動作を行わせ得るようになされている。
【００２９】
因みに、この突入電流抑制回路１０では、内部回路ＩＫの起動電力に応じて遅延時間ＬＴ及び制限電流の大きさを調整し、内部回路ＩＫの起動電力の大きさやＰＣ２の保護閾値の大きさに応じて充電電流ＩＲ２の大きさを自由に設定することができるようになされている。
【００３０】
このように、電流制限部１３は、時点Ｔ０から内部回路ＩＫに電流を制限しながら送出することによって当該内部回路ＩＫに起動電力を徐々に充電させ、内部回路ＩＫに充電すべき起動電力の一部若しくは全部を予め充電させることができ、遅延時間ＬＴが経過した時点Ｔ２で当該内部回路ＩＫに残りの起動電流を充電するために生じる充電電流ＩＲ２をＰＣ２の保護回路が動作する保護閾値より小さくし得、当該ＰＣ２の保護回路が動作してデバイス３に対する電流供給が停止されることを防止し得るため、当該ＰＣ２から当該デバイス３へ電流を正常に供給させ、デバイス３の誤作動を防止し得るようになされている。
【００３１】
次に、具体的な突入電流抑制回路１０について図４を用いて説明する。電流供給線３２は電力入力端２１及び電力出力端２２に接続され、グランド線３１はグランド端２３及びグランド端２４にそれぞれ接続されている。
【００３２】
認識電流生成部１１は、電流供給線３２及びグランド線３１間にコンデンサＣ１が配設されることによって構成されている。
【００３３】
時間調整部１２は、時定数回路を形成する抵抗Ｒ２及びコンデンサＣ２がコンデンサＣ１と並列に接続され、当該抵抗Ｒ２及び当該コンデンサＣ２の間に電界効果トランジスタＱ１のゲート端子が接続されることによって構成されている。
【００３４】
電流制限部１３は、電界効果トランジスタＱ１のドレイン端子に対して電界効果トランジスタＱ２のゲート端子が接続され、電界効果トランジスタＱ１のドレイン端子及び電界効果トランジスタＱ２のソース端子間に抵抗Ｒ３が接続され、さらに電界効果トランジスタＱ２のソース端子及びドレイン端子間に電界効果トランジスタＱ２と並列に抵抗Ｒ１が配設されることによって構成されている。
【００３５】
まず、電源入力端２０から電圧が印加されていない状態において、電界効果トランジスタＱ１及び電界効果トランジスタＱ２はオフになっている。
【００３６】
時点Ｔ０においてデバイス３がＰＣ２に接続されると、突入電流抑制回路１０では、電流供給線３２に電圧が印加され、認識電流生成部１１のコンデンサＣ１が充電される。この結果、コンデンサＣ１への充電電流が認識電流ＩＲ１（図３）として生成され、突入電流抑制回路１０に瞬間的な大きい電流が流れ込む。なお、調整突入電流ＩＲの電流値は、使用するコンデンサＣ１の容量によって自由に調整することができるようになされている。
【００３７】
一方、電流制限部１３では、抵抗Ｒ１を通じて制限電流が内部回路ＩＫへ常時供給される。なお、制限電流の大きさは抵抗Ｒ１の大きさによって自由に調整することができる。
【００３８】
他方、時間調整部１２では、抵抗Ｒ２を通じて徐々にコンデンサＣ２が充電される。このとき抵抗Ｒ３によって電位が調整され、電界効果トランジスタＱ１が確実にオフの状態にされるようになされている。そして遅延時間ＬＴが経過した時点２(図３)においてこのコンデンサＣ２の充電が終了すると、電界効果トランジスタＱ１のゲートに電圧が印加され、電界効果トランジスタＱ１がオンに切り換わる。なお、この遅延時間ＬＴは時定数「抵抗Ｒ２×コンデンサＣ２」によって自由に調整することができる。
【００３９】
そして時点Ｔ２において電界効果トランジスタＱ１がオンになると、電流制限部１３では、電界効果トランジスタＱ２のゲートに負の電圧が印加され、当該電界効果トランジスタＱ２がオンに切り換わる。この結果、電界効果トランジスタＱ２にドレイン電流が流れ、電界効果トランジスタＱ２を介して電流が内部回路ＩＫに送出されるようになされている。
【００４０】
（３）動作及び効果
以上の構成において、本発明の突入電流抑制回路１０では、時間調整部１２及び電流制限部１３の前段に認識電流生成部１１を設け、デバイス３がＰＣ２に接続された直後に認識電流ＩＲ１を生成すると共に、デバイス３の動作回路である内部回路ＩＫを有するデバイス３がＰＣ２に接続されると、電流制限部１３によってＰＣ２から供給される電流を制限しながら内部回路ＩＫに送出する。そして突入電流抑制回路１０では、遅延時間ＬＴが経過したタイミングで、電流の制限が解除され、内部回路ＩＫが必要とする電力に応じてＰＣ２から供給される電流を当該内部回路ＩＫへ送出する。
【００４１】
これにより、突入電流抑制回路１０では、ＰＣ２にデバイス３が接続されたタイミングで内部回路ＩＫ、時間調整部１２及び電流制限部１３の構成や設定等に拘らず認識電流ＩＲ１を生成し、当該ＰＣ２に当該デバイス３が接続されたこと確実に検知させ、ＰＣ２に定常的な電流の供給を許可させることができ、これによってＰＣ２から以降の電力を確実に供給させてデバイス３を正常に動作させることができる。
【００４２】
また、突入電流抑制回路１０では、時間調整部１２及び電流制限部１３の前段に認識電流生成部１１を設けたことにより、ＰＣ２とデバイス３とが接続された直後に認識電流ＩＲ１を迅速に生成するため、従来の単に内部回路ＩＫへ所定時間に渡って電流を制限し、内部回路ＩＫに充電した後に当該制限を解除する方法と比較して、ＰＣ２に対して迅速にデバイス３が接続されたことを認識させ得るため、ＰＣ２にデバイス３への動作指示を迅速に送出させることができ、デバイス３を迅速に動作させ得る。
【００４３】
さらに、突入電流抑制回路１０では、ＰＣ２から供給される電流を制限しながら内部回路ＩＫへ送出し、遅延時間ＬＴが経過したタイミングで電流の制限を解除したことにより、当該遅延時間ＬＴをかけて少しずつ内部回路ＩＫに起動電力を充電させ、内部回路ＩＫの起動電力を一気に充電するために生じる充電電流ＩＲ２を小さくし得、突入電流を抑制することができるため、ＰＣ２の保護回路が動作してデバイス３への電力供給が停止されるのを防止でき、デバイス３を正常に動作させることができる。
【００４４】
また、突入電流抑制回路１０では、認識電流ＩＲ１及び充電電流ＩＲ２を小さくし得ることにより、デバイス３の電流最大値を小さくし、定常電流と最大電流値との差を小さくすることができるため、従来の突入電流抑制回路を有さないデバイス３と比較して、当該定格電流を超える電流を流させないようにすることができ、定格電流を超える電流が流れることによる内部回路ＩＫの故障や過剰な負荷を防止することができるため、デバイス３の耐久性向上を達成できると共に、最大電流値を小さくできるため、この最大電流値に合わせて定格電流値を小さくし得、簡易な構成にし得る。
【００４５】
また、突入電流抑制回路１０は、ＵＳＢ規格に準拠したＶＢＵＳに接続された電流供給線３２及びグランド線３１間に設けられ、認識電流ＩＲ１を生成する認識電流生成部１１としてのコンデンサＣ１と、制限解除のためのトリガーを生成する時間調整部１２としての抵抗Ｒ２、コンデンサＣ２及び電界効果トランジスタＱ１と、電流を制限しながら内部回路ＩＫへ送出する電流制限部１３としての抵抗Ｒ１、抵抗Ｒ３、及び電界効果トランジスタＱ２とによって構成されるため、従来の３つのトランジスタを組み合わせて定電流を流す方法と比較して、部品点数を格段に減少させることができるため、簡易な構成にすることができる。
【００４６】
以上の構成によれば、突入電流抑制回路１０では、デバイス３がＰＣ２に接続されたタイミングでＰＣ２から供給される突入電流を調整し、まず認識電流生成部１１によってＰＣ２から認識電流ＩＲ１を供給させることにより、他の回路構成に影響されること無く当該ＰＣ２にデバイス３が接続されたことを確実に認識させ、以降の電力を供給させると共に、時間調整部１２によって調整された遅延時間ＬＴに渡って、電流制限部１３に電流を制限しながら内部回路ＩＫへ電流を送出させて起動電力を徐々に充電させることができるため、充電電流ＩＲ２を保護回路が動作する保護閾値より小さくでき、ＰＣ２の保護回路が動作することを防止し得るため、ＰＣ２に電力を正常に供給させることができ、かくしてデバイス３の誤作動を防止できる。
【００４７】
（４）他の実施の形態
なお上述の実施の形態においては、ＰＣ２は所定の保護閾値以上の電流を供給した場合には保護回路が動作し、デバイス３への電流供給を停止するようにした場合について述べたが、本発明はこれに限らず、ＰＣ２が保護回路を有していない場合には、大きな突入電流をデバイス３に供給したことにより、ＰＣ２及びＰＣ２に接続された他のデバイスにおける電力が瞬間的に不足し、当該ＰＣ２や当該他のデバイスが誤作動を生じることになる。
【００４８】
この場合であっても、本発明の突入電流抑制回路１０は、電流制限部１３によって内部回路ＩＫに電力を送出して徐々に充電させることにより、充電電流ＩＲ２を小さくすることができるため、ＰＣ２及び他のデバイスの電力が瞬間的に不足することによる誤作動を防止することができる。
【００４９】
また上述の実施の形態においては、ＰＣ２は、所定の認識閾値以上の電流を供給した場合にデバイス３が接続されたことを認識し、定常電流を供給するようにした場合について述べたが、本発明はこれに限らず、ＰＣ２は接続されたデバイス３が認識された否かに拘らず、接続されたデバイス３に対して定常的な電流を自動的に供給するようにしてもよい。
【００５０】
この場合であっても、突入電流抑制回路１０は、認識電流ＩＲ１によってデバイス３が接続されたことをＰＣ２に確実に認識させることができる。これにより、突入電流抑制回路１０は、ＰＣ２がデバイス３を認識できないことによって当該デバイス３に対する動作指示を与えられないことによる当該デバイス３の誤作動を防止することができる。
【００５１】
また上述の実施の形態においては、ＰＣ２は、ＵＳＢポート３Ａへ流れる電流を監視し、認識閾値以上の電流を検知したとき、デバイス３が接続されたことを認識するようにした場合について述べたが、本発明はこれに限らず、ＵＳＢポート３Ａへの所定時間当りの電荷量や電圧等を監視し、認識閾値以上の電荷量を供給した場合や、認識閾値以上の電圧が印加された場合に接続されたデバイス３に対して定常的な電流を自動的に供給するようにしてもよい。この場合であっても同様に、突入電流抑制回路１０は、認識電流ＩＲ１によってデバイス３が接続されたことをＰＣ２に認識させることができるため、ＰＣ２から迅速に動作指示を受け、デバイス３を動作させることができる。
【００５２】
さらに上述の実施の形態においては、突入電流抑制回路１０は、デバイス３の内部に設けられるようにした場合について述べたが、本発明はこれに限らず、例えばＵＳＢケーブル等の各種ケーブル類の内部に設けるようにしても良い。これにより、突入電流抑制回路１０を有しないデバイス３とＰＣ２とを接続する場合であっても、突入電流抑制回路１０を有するＵＳＢケーブルを使用して当該デバイス３及び当該ＰＣ２間を接続することによって、上述したように当該デバイス３や当該ＰＣ２における誤作動を防止することができる。
【００５３】
さらに上述の実施の形態においては、突入電流発生部１１は、コンデンサＣ１に電力を充電することによって認識電流ＩＲ１を生成するようにした場合について述べたが、本発明はこれに限らず、例えば電界効果トランジスタ等を組み合わせた回路を形成することによって、当該コンデンサＣ１に充電した電力を内部回路ＩＫへ送出するようにしても良い。これにより、突入電流抑制回路１０は、ＰＣ２から供給された電力を無駄なく当該内部回路ＩＫに送出することができると共に、遅延時間ＬＴが経過するまでの間にコンデンサＣ１に充電した電力を当該内部回路ＩＫへ送出した場合には、当該電力を当該内部回路ＩＫに起動電力として充電させることができるため、一段と充電突入電流ＩＲ２を小さくすることが可能になる。
【００５４】
さらに上述の実施の形態においては、時間調整部１２は、遅延時間ＬＴが経過した時点で電流の制限を解除するトリガーとして電流制限部１３へ電流を送出するようにした場合について述べたが、本発明はこれに限らず、例えばトリガーとしてスイッチ信号を電流制限部１３に送出し、このスイッチ信号に応じて電流制限部１３が電流の制限を解除するようにしても良い。
【００５５】
さらに上述の実施の形態においては、認識電流生成手段としての認識電流生成部１１と、制限解除手段としての時間調整部１２と、電流制限手段としての電流制限部１３とによって突入電流抑制回路としての突入電流抑制回路１０を構成するようにした場合について述べたが、本発明はこれに限らず、その他種々の構成でなる認識電流生成手段と、制限解除手段と、電流制限手段とによって突入電流抑制回路を構成するようにしても良い。
【産業上の利用可能性】
【００５６】
本発明の突入電流抑制回路は、パーソナルコンピュータ等の各種電源供給装置に接続され、当該電源供給装置から電源の供給を受けて動作するデジタルカメラ、メモリカードリードライタ、半導体メモリ等の各種電子機器に適用することができる。
【図面の簡単な説明】
【００５７】
【図１】電源供給システムの全体構成を示す略線図である。
【図２】突入電流抑制回路の機能ブロックを示す略線図である。
【図３】突入電流抑制回路への電流供給を示す略線図である。
【図４】突入電流制限回路の構成を示す略線図である。
【図５】従来の回路への電流供給示す略線図である。
【符号の説明】
【００５８】
１……電源供給システム、２……デバイス３Ａ……ＵＳＢコネクタ、３……ＰＣ２Ａ……ＵＳＢポート、１０……突入電流抑制回路、１１……突入電流発生部、１２……時間調整部、１３……電流送出部。
【図１】
2007049786.tif 000003
【図２】
2007049786.tif 000004
【図３】
2007049786.tif 000005
【図４】
2007049786.tif 000006
【図５】
2007049786.tif 000007